(57)【要約】【課題】尿取りパッドからの液漏れを防止するとともに、尿取りパッドと併用されるおむつの液吸収面を有効活用できる尿取りパッドを提供すること。【解決手段】表面シート１１と、裏面シート１２と、両シート１１，１２間に介在配置された吸収体１３とを有し、おむつと併用される尿取りパッド１０である。表面シート１１は、親水化剤が付与されて液透過性を有する不織布を備える。裏面シート１２は、液難透過性の不織布を備える。表面シート１１に尿が排泄されることで該尿中に親水化剤が溶解し、該親水化剤が溶解した該尿が裏面シート１２に達することで、裏面シート１２に液透過性が付与されるようにした。【選択図】図５
2010131087.tif 000002
【特許請求の範囲】
【請求項１】
おむつと併用される尿取りパッドであって、
前記尿取りパッドは、着用者の肌に対向する表面シートと、前記おむつにおける着用者の肌対向面と対向する裏面シートと、両シート間に介在配置された吸収体とを有し、
前記表面シートは、親水化剤が付与されて液透過性を有する不織布を備え、前記裏面シートは、液難透過性の不織布を備え、
前記表面シートに尿が排泄されることで該尿中に前記親水化剤が溶解し、該親水化剤が溶解した該尿が前記裏面シートに達することで、該裏面シートに液透過性が付与されるようにした尿取りパッド。
【請求項２】
前記表面シートが前記吸収体の下面側まで巻き下げられており、その巻き下げられた部位が前記裏面シートと接している請求項１記載の尿取りパッド。
【請求項３】
長手方向に沿う左右の両側部に防漏カフが配されており、
前記防漏カフは、前記裏面シートが前記吸収体の左右両側縁から延出した延出部位から構成されている請求項２記載の尿取りパッド。
【請求項４】
前記防漏カフが、前記延出部位を二重に折りたたんで形成されている請求項３記載の尿取りパッド。
【請求項５】
前記防漏カフは、前記裏面シートが前記吸収体の左右両側縁から延出した延出部位と、前記表面シートが前記吸収体の左右両側縁から延出した延出部位とを含む二重構造になっている請求項３記載の尿取りパッド。
【請求項６】
前記裏面シートが、前記液難透過性の不織布と、液不透過性のフィルムとを備え、
前記フィルムの一部に開口部を設け、該開口部を覆うように前記不織布を配して前記裏面シートが構成されている請求項１ないし５のいずれかに記載の尿取りパッド。
【請求項７】
前記開口部が、前記裏面シートの幅方向中央域の位置に、該裏面シートの長手方向に延びるように設けられている請求項６記載の尿取りパッド。
【請求項８】
前記開口部が、前記裏面シートの長手方向二分線に対して、後側又は前側に偏倚して設けられている請求項６記載の尿取りパッド。
【発明の詳細な説明】
【技術分野】
【０００１】
本発明は、おむつの内側に配置されて使用される尿取りパッドに関する。
【背景技術】
【０００２】
尿取りパッドは、図１０に示すように、使い捨ておむつ１２０の内側に配置されて使用されている。従来の尿取りパッド１１０は、液透過性の表面シート１１１、液不透過性の裏面シート１１２及び両シート１１１，１１２間に位置する吸収体１１３を主たる構成部材として有するものである。このような構成の尿取りパッド１１０を用いる場合、該尿取りパッド１１０に排泄された尿の量が、吸収体１１３の液吸収容量を超えると、液吸収容量を超えた分の尿は、同図の矢印Ａで示す経路をたどり、尿取りパッド１１０の防漏カフを越えて外方に流出してしまう。流出した尿は、尿取りパッド１１０の下側に位置するおむつに吸収されるが、その吸収は、同図の矢印Ｂで示すように、主としておむつの左右両側部の領域に限られる。この理由は、尿取りパッド１１０の裏面シート１１２が不液透過性であることによる。その結果、おむつ１２０は、その液吸収領域のすべてを有効活用できない場合が多い。
【０００３】
一方、裏面シート１１２として、液透過性の親水性不織布を用いた尿取りパッドも知られている。しかし、このパッドは、少量の尿が排泄された場合であっても、尿が裏面シート１１２を容易に透過して、その下に位置するおむつにまで到達してしまう。したがってこの種のパッドは、これを頻繁に交換することで、おむつ自体の交換回数を減らすという目的で使用されるよりも、むしろおむつの液吸収容量を増加させることを目的とした補助的な使用方法が一般的であった。
【０００４】
特許文献１においては、透水性の表面シートと、吸収体と、非透水性バックシートと、親水性不繊布とが順次層成された構成を有している尿取りパッドにおいて、バックシート表面に破断案内線を設け、使用時にバックシートを尿取りパッドの長手方向又は幅方向に延伸することにより該バックシートに通液開口を形成させることが提案されている。
【０００５】
また、特許文献２では、尿取りパッドの内面側及び外面側がいずれも液透過性シートからなり、更に外面シートの外側に、該外面シートに剥離可能に接合された液不透過性のバックシートを有する尿取りパッドが提案されている。この尿取りパッドは、通常は液不透過性のバックシートを剥離せずに使用され、夜間等の頻繁な介護が不可能なときは、該バックシートを剥離して使用される。同文献の記載によれば、尿取りパッドの吸収コアの吸収容量を超えて尿が排泄されても、その分の尿は、液透過性の外面シートを通じて、おむつの吸収体に吸収されるとされている。
【０００６】
【特許文献１】特開２００４−８１６６９号公報
【特許文献２】特許第３５１９２６７号公報
【発明の開示】
【発明が解決しようとする課題】
【０００７】
上述した各尿取りパッドはいずれも、尿取りバッドの外面シートに加工を施したものであり、パッドの使用時に、その加工に対して操作を施し、外面シートを液透過性にするものである。したがって、着用者本人又は介護者が、尿取りパッドをおむつ内に設置するときに前記の操作を行う必要があり、使用方法が煩雑になる。
【０００８】
本発明の目的は、前述した従来技術が有する欠点を解消し得る尿取りパッドを提供することにある。
【課題を解決するための手段】
【０００９】
本発明は、おむつと併用される尿取りパッドであって、
前記尿取りパッドは、着用者の肌に対向する表面シートと、前記おむつにおける着用者の肌対向面と対向する裏面シートと、両シート間に介在配置された吸収体とを有し、
前記表面シートは、親水化剤が付与されて液透過性を有する不織布を備え、前記裏面シートは、液難透過性の不織布を備え、
前記表面シートに尿が排泄されることで該尿中に前記親水化剤が溶解し、該親水化剤が溶解した該尿が前記裏面シートに達することで、該裏面シートに液透過性が付与されるようにした尿取りパッドを提供するものである。
【発明の効果】
【００１０】
本発明によれば、排泄された尿の量が一定の量に達するまでは、尿取りパッドの裏面シートが液を透過させにくいので、尿取りパッドのみでの尿の吸収保持が可能であり、おむつを頻繁に取り替える必要が無くなる。一方、一定の量以上の尿が排泄された場合には、裏面シートが液易透過性に変化し、裏面シートを通じて尿がおむつの吸収体に吸収され得るので、おむつの液吸収面を有効活用でき、液漏れが効果的に防止される。また、上述した特許文献１及び２に記載の技術と異なり、パッドをおむつの内側に配するときに特別な操作が必要ないので、操作が簡単である。
【発明を実施するための最良の形態】
【００１１】
以下本発明を、その好ましい実施形態に基づき図面を参照しながら説明する。本発明の尿取りパッドは、おむつの内面側、すなわち着用者の肌対向面側に設置され、おむつと併用されるものである。図１には、そのようなおむつの一実施形態の平面図が示されている。同図は、おむつをその表面シート側からみた図である。図２は、図１におけるII−II線断面図である。図１及び図２に示すように、おむつ２０は、液透過性の表面シート２１及び液不透過性ないし撥水性の裏面シート２２を有している。両シート２１，２２の間には、吸収体２３が介在配置されている。表面シート２１は、吸収体２３の左右両側部を覆い、かつ吸収体の下面側に巻き下げられている。裏面シート２２は吸収体２３の周縁から外方に延出している。平面視において、裏面シート２２は略砂時計形の形状をしている。吸収体２３も略砂時計の形状をしている。裏面シート２２の輪郭は、おむつ２０の外形をなしている。
【００１２】
おむつ２０の表面シート２１側においては、おむつ２０の左右両側部に、一対の防漏カフ２４が配されている。防漏カフ２４は自由縁部２４ａと固定部２４ｂとを有している。自由縁部２４ａには、弾性部材２４ｃが伸長状態で配されている。固定部２４ｂは、吸収体２３の左右両側縁から側方に延出した裏面シート２２と接合している。この接合部位には、レッグ弾性部材２５が伸長状態で配されている。
【００１３】
おむつ２０の長手方向における一方の端部においては、左右両側部にファスニングテープ２６が取り付けられている。ファスニングテープ２６は、左右対称に二対取り付けられている。ファスニングテープ２６は、例えば面ファスナのループ材やフック材からなるか、又は粘着テープ等からなるものである。
【００１４】
図３には、本発明の第１の実施形態に係る尿取りパッド１０の平面図が示されている。同図は、尿取りパッド１０をその表面シート側からみた図である。図４は、図３におけるIV−IV線断面図である。本実施形態の尿取りパッド１０は、表面シート１１及び裏面シート１２を有している。両シート１１，１２の間には吸収体１３が介在配置されている。表面シート１１は、尿取りパッド１０の使用時に、着用者の肌に対向する。一方、裏面シート１２は、先に説明したおむつ２０における着用者の肌対向面（つまり表面シート２１側の面）と対向する。
【００１５】
表面シート１１は、着用者から排泄された尿等を最初に受容する受液面として作用する。この目的のために、表面シート１１は液透過性を有している。一方、裏面シート１２は、尿取りパッド１０の使用の初期においては、液難透過性を示し、ある一定量の尿を吸収した後においては、液透過性を示す。ここで液難透過性の目安として耐水圧を採用した場合、耐水圧が５ｍｍａｑ以上である場合には、液難透過性であると言うことができる。
【００１６】
図３に示すように尿取りパッド１０は、平面視して縦長の矩形をしている。表面シート１１も同様に矩形であり、図４に示すように吸収体１３の上面及び左右の両側面を被覆するように配されている。裏面シート１２も矩形であり、吸収体１３の下面及び両側面を被覆している。裏面シート１２は、吸収体１３の側面を被覆している表面シート１１を、その外側から被覆している。したがって、吸収体１３の側面は、表面シート１１及び裏面シート１２によって二重に被覆されている。
【００１７】
裏面シート１２は、吸収体１３の左右両側縁から延出しており、その延出部位が上方へ向けて巻き上げられて一対の防漏カフ１４，１４を形成している。防漏カフ１４は、尿取りパッド１０の長手方向に沿って、該パッド１０のほぼ全域にわたって延びている。防漏カフ１４は、自由縁部１４ａ及び固定部１４ｂを有している。自由縁部１４ａ及び固定部１４ｂはいずれも、おむつ１０の長手方向に延びている。自由縁部１４ａには弾性部材１４ｃが伸長状態で固定されている。固定部１４ｂにおいては、表面シート１１と裏面シート１２とが接合されている。
【００１８】
吸収体１３は、排泄された尿等を吸収して保持する部位である。吸収体１３は、パルプ等のセルロース系繊維を始めとする吸液性を有する繊維材料を含んでなる吸収コアが、ティッシュペーパーや不織布等からなる液透過性のシートで被覆されて構成されている。吸収コアには、高吸収性ポリマー等のヒドロゲル材料からなる粒子や繊維が含まれていてもよい。
【００１９】
表面シート１１は不織布から構成されている。この不織布は、本来的には撥水性のものであり、液を透過させづらいものであるが、親水化剤が付与されることによる親水化処理によって液透過性が付与されたものである。親水化処理の例としては、（ａ）種々の方法によって製造された不織布の構成繊維の表面に親水化剤を施す方法、（ｂ）不織布を製造するための原料樹脂に親水化剤を予め練り込んでおき、該親水化剤が練り込まれた原料樹脂を用いて不織布を製造する方法等が挙げられる。いずれの方法で親水化処理を行う場合であっても、表面シート１１が尿と接した場合に、表面シート１１から親水化剤の少なくとも一部が尿中に溶出するような態様で該親水化剤が表面シート１１に施されている。
【００２０】
親水化剤としては、当該技術分野において従来用いられてきたものと同様のものを特に制限なく用いることができる。一般には、アニオン系、カチオン系、両性系、ノニオン系の界面活性剤の様々な分子量のものを単独又は組み合わせて用いることができる。その具体例としては、ポリオキシエチレンアルキルエーテル、ポリオキシエチレン脂肪酸エステル、ソルビタン脂肪酸エステル、ポリグリセリン脂肪酸エステル、ポリエーテル−ポリエステルブロック共重合体、ポリエーテル変性シリコン、エチレンオキサイド付加多価アルコールが挙げられる。特に好ましい親水化剤は、表面シートと尿との接触によって尿中に容易に溶解し得るものである。そのような好ましい親水化剤の例としては、リン酸エステル塩等が挙げられる。
【００２１】
表面シート１１に施される親水化剤の量は、親水化剤の施し方や親水化剤の種類に応じて適切な量が選択される。一般に繊維の重量に対して、好ましくは
０．０５〜５．０重量％、更に好ましくは０．１〜２．０重量％の量の親水化剤を施すことで、本発明の目的が十分に達成される。
【００２２】
表面シート１１を構成する不織布としては、当該技術分野において知られている様々な方法で製造された不織布を特に制限なく用いることができる。例えば、エアスルー不織布、スパンボンド不織布、スパンレース不織布、メルトブローン不織布、レジンボンド不織布、ニードルパンチ不織布、これらの不織布の複合体などが挙げられる。これらの不織布には、尿取りパッド１０の具体的な用途に応じて凹凸形状を付与したり、穿孔を施したりすることができる。これらの不織布を構成する繊維としては、一般に熱可塑性樹脂を原料とする繊維が挙げられる。そのような熱可塑性樹脂としては、例えばポリエチレンやポリプロピレン等のポリオレフィン系樹脂、ポリエチレンテレフタレート等のポリエステル系樹脂、ポリアミド系樹脂、アクリル系樹脂、これらの樹脂のブレンド物などが挙げられる。またこれらの樹脂を２種以上組み合わせてなる複合繊維を用いることもできる。更に、種類の異なる２種以上の繊維を組み合わせて用いることもできる。
【００２３】
不織布を構成する繊維の太さや不織布の坪量は、尿取りパッド１０の具体的な用途に応じて適切な範囲を選択することができる。繊維の太さに関しては、好ましくは０．８〜４．０ｄｔｅｘ、更に好ましくは１．５〜３．０ｄｔｅｘに設定することで、表面シート１１の強度や液透過性を満足すべきものとすることができる。同様の理由により、不織布の坪量は１０〜５０ｇ／ｍ2、特に２０〜４０ｇ／ｍ2とすることが好ましい。
【００２４】
表面シート１１が液透過性であることとは対照的に、尿取りパッド１０の使用の初期においては、裏面シート１２は液難透過性である。「液難透過性」の意味は、先に述べたとおりである。裏面シート１２には一般に親水化剤は施されていないが、裏面シート１２が液難透過性である限り、該シート１２に少量の親水化剤が施されていることは妨げられない。裏面シート１２を液難透過性とするためには、一般に、疎水性の合成樹脂を原料とする繊維を用い、繊維の太さや不織布の坪量及び層構造等を適宜調整して不織布を製造すればよい。
【００２５】
裏面シート１２を構成する不織布としては、先に説明した表面シート１１を構成する不織布と同様のものを用いることができる。また、この不織布を構成する繊維としても、先に説明した表面シート１１を構成する不織布に含まれる繊維と同様のものを用いることができる。裏面シート１２を構成する不織布として特に好ましいものは、尿取りパッド１０の使用開始時における液難透過性を確実なものとする観点から、スパンボンド不織布や、メルトブローン不織布である。
【００２６】
裏面シート１２を構成する不織布の坪量や構成繊維の太さは、該裏面シート１２の液難透過性を高める観点から適切な範囲が選択される。具体的には、坪量は１０〜５０ｇ／ｍ2、特に２０〜４０ｇ／ｍ2に設定することが好ましい。繊維の太さは０．８〜４．０ｄｔｅｘ、特に１．５〜３．０ｄｔｅｘに設定することが好ましい。
【００２７】
以上の構成を有する尿取りパッド１０は、その長手方向をおむつ２０の長手方向と一致させ、おむつ２０における一対の防漏カフ２６間に設置される。この状態下に着用者に装着される。図５には、この装着状態における尿の吸収透過機構が模式的に示されている。尿取りパッド１０の使用の初期においては、該パッド１０における表面シート１１は液透過性を示す一方、裏面シート１２は液難透過性を示す。したがって、パッド１０の使用の初期に該パッド１０に排泄された尿は、表面シート１１を透過して、該表面シート１１に施された親水化剤を溶解しつつ吸収体１３に達する。しかし尿は、耐水圧が高く、液難透過性を示す裏面シート１２を透過しづらいので、吸収体１３中にとどまったままでいる。この状態においては、吸収体１３中に存在する自由水の量が少ないので、着用者の体圧がパッド１０に加わっても、裏面シート１２を通じて尿が滲み出ることは起こりづらい。自由水とは、吸収体１３中に含まれる高吸収性ポリマーによって吸収保持されていない状態の水（尿）のことである。
【００２８】
尿の透過とは別に、裏面シート１２は、液難透過性であるものの、通気性は有しているので、このことに起因して着装内が蒸れにくくなり、装着感が快適なものとなる。
【００２９】
尿の排泄回数が増えてくると、表面シート１１に施された親水化剤が、排泄された尿中に溶解する量が増加してくる。そして、尿の排泄回数が更に増し、尿取りパッド１０の吸収体１３の液吸収容量を超える尿が該パッド１０に排泄されると、吸収体１３中に存在する自由水の量が多くなり、該自由水の水圧及び吸収体１３に加わる着用者の体圧によって、親水化剤が溶解した尿が裏面シート１２にまで到達する。それによって、裏面シート１２が親水化剤と接触し、該裏面シート１２が次第に親水化され、耐水圧が低下してくる。その結果、裏面シート１２が液難透過性から液透過性に変化する。このことに起因して、吸収体１３中に存在する自由水は、図５に示すように、液透過性が付与された裏面シート１２を通じて、その下に位置するおむつ２０に吸収される。以上のとおりの尿の吸収透過機構によって、吸収体１３で吸収しきれなくなった尿が防漏カフ１４を乗り越えてパッド１０の側部から漏れることが効果的に防止される。しかも、パッド１０の裏面シート１２を通じておむつ２０に移行した尿は、おむつ２０の中央域において該おむつ２０に吸収されるので、おむつ２０の液吸収領域が有効活用されるという利点もある。このように、本実施形態の尿取りパッド１０によれば、これを就寝前に装着することで就寝中に該パッド１０を交換することなく、夜間の尿漏れを防止することができる。日中、介護者が何らかの事情でパッド１０を長時間にわたって交換できない場面においても同様の効果が奏される。
【００３０】
次に、本発明の第２ないし第５の実施形態を、図６ないし図９を参照しながら説明する。これらの実施形態に関しては、先に述べた第１の実施形態と相違する点について説明し、特に説明しない点については、先に述べた第１の実施形態に関して詳述した説明が適宜適用される。また、図６ないし図９において、図１ないし図５と同じ部材には同じ符号を付してある。
【００３１】
図６に示す第２の実施形態の尿取りパッド１０においては、表面シート１１が吸収体１３の左右両側縁から外方に延出し、延出部位１１ａが吸収体１３の下面側、すなわち裏面シート１２との対向面側にまで巻き下げられている。そして延出部位１１ａは、吸収体１３の下面側において、該吸収体の左右両側部を、その長手方向にわたって被覆している。更に延出部位１１ａは、裏面シート１２と接触域Ａにおいて直接に接している。この接触域Ａは、所定の幅を有し、パッド１０の長手方向に延びる矩形の形状をしている。本実施形態のパッド１０によれば、吸収体１３の液吸収容量を超えて尿が排泄されて吸収体１３中に自由水が多量に生じた場合、接触域Ａにおいて、延出部位１１ａに施されている親水化剤が自由水に溶解し、その自由水が直接に裏面シートに到達する。これとは対照的に、先に述べた第１の実施形態においては、表面シート１１に施された親水化剤を溶解した尿が、吸収体１３中を透過して裏面シート１２へと到達する。したがって、本実施形態においては、第１の実施形態に比べて、下面に表面シートを配することにより、耐水圧の低下と自由水の水圧の両方を利用して、裏面シート１２への液透過性の付与を精密にコントロールできるとともに、裏面シート１２へ液透過性を確実に付与することができる。
【００３２】
接触域Ａの幅は、裏面シート１２に付与する親水性の程度に応じて適切に設定することが可能である。一般に、各接触域Ａの幅を、吸収体１３の幅の1〜３０％、特に５〜２０％に設定することで、満足すべき親水性を裏面シート１２に付与することができる。なお、各接触域Ａの幅は同じでもよく、あるいは異なっていてもよい。
【００３３】
図７（ａ）に示す第３の実施形態の尿取りパッド１０は、表面シート１１が吸収体１３の左右両側縁から外方に延出し、延出部位１１ａが吸収体１３の下面側にまで巻き下げられている。この巻き下げによって、延出部位１１ａは裏面シート１２と直接に接し、接触域Ａを形成している。これらの点については、先に述べた第２の実施形態と同様である。本実施形態が第２の実施形態と相違する点は、防漏カフ１４の構造である。詳細には、防漏カフ１４は、裏面シート１２が吸収体１３の左右両側縁から延出した延出部位１２ｂから構成されている。防漏カフ１４は、延出部位１２ｂを二重に折りたたんで形成されている。二重に折りたたんだ折り曲げ部は防漏カフ１４の自由縁部１４ａとなっている。そして延出部位１２ｂの端部１２ａは、吸収体１３の下面近傍に位置している。防漏カフ１４がこのような構造となっている結果、吸収体１３の側面Ｂは、１枚の表面シート１１と２枚の裏面シート１２によって被覆されている。
【００３４】
本実施形態によれば、吸収体１３の側面Ｂに、液難透過性の延出部位１２ｂが二重に配されているので、側面Ｂに位置する二重の延出部位１２ｂは、吸収体１３の下面に位置する接触域Ａよりも、親水性が付与され難くなっている。その結果、液吸収容量を超える多量の尿が吸収体１３に排泄されても、吸収体１３の側面Ｂは容易に液透過性へと変化せず、該側面Ｂから外方へ向けて尿が透過しづらい。このことは、例えば着用者が横向きに寝ていて、図７（ｂ）に示すように、吸収体１３が斜めに傾いた状態になった場合に、吸収体１３の左右の側面Ｂのうちの下側に位置する側面Ｂから外方へ向けての液の横漏れを効果的に防止できる観点から有利である。詳細には、吸収体１３が図７（ｂ）に示すように斜めに傾いた場合、傾いた下側の側面Ｂに向けて自由水が溜まることになる。この状態においては、平面視での吸収体１３の投影面積が、水平に載置された状態の吸収体１３に比べて小さくなるので、同量の自由水が存在していたとしても、図７（ｂ）に示す状態の方が水圧が高くなる。その結果、側面Ｂの位置からの液漏れが起こりやすくなる。これを防止するために、吸収体１３の側面に、裏面シート１２の延出部位１２ｂを二重に配して、該部位１２ｂに液透過性が付与されづらくしている。
【００３５】
図８（ａ）及び（ｂ）に示す第４の実施形態は、裏面シート１２の構造が、これまで述べてきた実施形態と相違している。詳細には、裏面シート１２は液難透過性の不織布１２ｃと、液不透過性のフィルム１２ｄとの複合材料から構成されている。フィルム１２ｄは、その一部に開口部が設けられており、その開口部を覆うように液難透過性の不織布１２ｃが配されている。開口部は、裏面シート１２の幅方向中央域の位置に、該裏面シート１２の長手方向に延びるように矩形状に設けられている。したがって該開口部を覆う不織布１２ｃも、裏面シート１２の長手方向に延びる矩形の形状をしている。開口部の前後端は、吸収体１３の前後端よりも内側寄りの位置で終端している。
【００３６】
本実施形態によれば、裏面シート１２のうち、液透過性の付与が可能な部位は、不織布１２ｃのみなので、吸収体１３の液吸収容量を超えて尿が吸収された場合、自由水状態の尿は、液透過性が付与された不織布１２ｃを通じてのみ透過し、おむつに吸収される。つまり本実施形態のパッド１０によれば、裏面シート１２において、おむつに向けて尿を透過させたい部位を自在に選定することが可能である。したがって、例えば裏面シート１２のうち、臀部に当接する部位（この部位には着用者の体圧が集中しやすいので、吸収体１３の液吸収容量未満の量の尿が排泄された時点で、裏面シート１２に液透過性が付与されてしまうことがある）をフィルム１２ｄで構成し、他の部位を不織布１２ｃで構成することによって、吸収体１３の液吸収容量を超える尿が吸収された後で、初めて裏面シート１２に液透過性が付与されるようにすることができる。
【００３７】
本実施形態においては、図８（ａ）及び（ｂ）に示すように、裏面シート１２のうち、液透過性を付与したい部位をフィルム１２ｄの切り抜きによって開口部となし、その開口部を覆うように不織布１２ｃを配したが、これに代えて、裏面シート１２の全体を不織布１２ｃとフィルム１２ｄとの積層体から構成し、かつ液透過性を付与したい部位においてフィルム１２ｄを欠落させて、該部位を不織布１２ｃのみから構成することもできる。この場合、積層体からなる裏面シート１２は、その吸収体１３への対向面をフィルム１２ｄから構成し、おむつ表面シートに対向する面を不織布１２ｃから構成することができる。
【００３８】
図９（ａ）ないし（ｃ）に示す第５の実施形態は、第４の実施形態の変形例である。本実施形態においては、裏面シート１２を構成するフィルム１２ｄに設けられた開口部が、裏面シート１２の長手方向二分線Ｃに対して、後側又は前側に偏倚して設けられている。したがって、開口部を覆う不織布１２ｃも、長手方向二分線Ｃに対して、後側又は前側に偏倚して設けられている。具体的には、不織布１２ｃは、長手方向二分線Ｃを跨がないように裏面シートの後側又は前側に偏倚している。本実施形態では、裏面シート１２のうち、着用者の体圧が最も加わる部位である臀部に当接する部位を避けて不織布１２を配しているので、先に述べた第４の実施形態と同様に、少量の尿の排泄では該不織布１２ｃに容易に液透過性が付与されないようになっている。
【００３９】
以上、本発明をその好ましい実施形態に基づき説明したが、本発明は前記実施形態に限られない。例えば前記実施形態はすべて尿取りパッドに係るものであったが、おむつの内面に着脱可能に配置され、主として尿の吸収に用いられる吸収性物品であれば、その名称にかかわらず（例えば補助パッド等）、本発明に包含される。
【００４０】
また、前記の各実施形態における構成等は、当業者の通常の創作能力の範囲内において、交互に置換可能である。
【図面の簡単な説明】
【００４１】
【図１】図１は、本発明の尿取りパッドと併用される使い捨ておむつを、その表面シート側からみた平面図である。
【図２】図２は、図１に示すおむつのII−II線断面図である。
【図３】図３は、本発明の尿取りパッドの一実施形態を、その表面シート側からみた平面図である。
【図４】図４は、図３におけるIV−IV線断面図である。
【図５】図５は、図３及び図４に示す尿取りパッドを、図１及び図２に示す使い捨ておむつの内側に装着した状態での、尿の吸収透過機構を示す模式図である。
【図６】図６は、本発明の尿取りパッドの第２の実施形態を示す断面図(図４相当図)である。
【図７】図７（ａ）は、本発明の尿取りパッドの第３の実施形態を示す断面図(図４相当図)であり、図７（ｂ）は、着用者が横向きに寝て、図７（ａ）に示す尿取りパッドが斜めに傾いた状態を示す図である。
【図８】図８（ａ）は、本発明の尿取りパッドの第４の実施形態を示す平面図(図１相当図)であり、図８（ｂ）は、図８（ａ）におけるｂ−ｂ線断面図である。
【図９】図９（ａ）は、本発明の尿取りパッドの第５の実施形態を示す平面図(図１相当図)であり、図９（ｂ）は、図９（ａ）におけるｂ−ｂ線断面図であり、図９（ｃ）は、図９（ａ）におけるｃ−ｃ線断面図である。
【図１０】図１０は、従来の尿取りパッドを、おむつの内側に装着した状態での、尿の吸収透過機構を示す模式図である。
【符号の説明】
【００４２】
１０  尿取りパッド
１１  表面シート
１２  裏面シート
１３  吸収体
１４  防漏カフ
【図１】
2010131087.tif 000003
【図２】
2010131087.tif 000004
【図３】
2010131087.tif 000005
【図４】
2010131087.tif 000006
【図５】
2010131087.tif 000007
【図６】
2010131087.tif 000008
【図７】
2010131087.tif 000009
【図８】
2010131087.tif 000010
【図９】
2010131087.tif 000011
【図１０】
2010131087.tif 000012